(57)【要約】【課題】自動販売機の保存温度による販売制御において、一時販売中止表示器の表示温度と、商品の温度の誤差を少なくし、販売の機会を逃さない。【解決手段】商品８を冷却保存する本体５内に設けた商品棚７と、前記本体５内を冷却する蒸発器４と、この蒸発器４へ冷媒を供給する冷凍機３と、前記本体５内の温度を検知する第一の温度検知手段１２と、熱容量をもたせた吸熱材１４により覆われた第二の温度検知手段１３と、前記第一の温度検知手段１２と前記第二の温度検知手段１３により検知した温度を、それぞれ予め設定された所定の温度と比較する演算処理部１７と、この演算処理部１７からの信号により、前記商品８の販売中止を表示する一時販売中止表示器１０の動作を制御する制御手段１８よりなる自動販売機の制御装置。【選択図】　図１
2004054319.tif 000002
【特許請求の範囲】
【請求項１】
商品を冷却保存する本体内に設けた商品棚と、前記本体内を冷却する蒸発器と、この蒸発器へ冷媒を供給する冷凍機と、前記本体内の温度を検知する第一の温度検知手段と、熱容量をもたせた吸熱材により覆われた第二の温度検知手段と、前記第一の温度検知手段と前記第二の温度検知手段により検知した温度を、それぞれ予め設定された所定の温度と比較する演算処理部と、この演算処理部からの信号により、前記商品の販売中止を表示する一時販売中止表示器の作動を制御する制御手段よりなる自動販売機の制御装置。
【請求項２】
商品を冷却保存する本体内に設けた商品棚と、前記本体内を冷却する蒸発器と、この蒸発器へ冷媒を供給する冷凍機と、前記本体内の温度を検知する第一の温度検知手段と、熱容量をもたせた吸熱材により覆われた第二の温度検知手段と、内扉または外扉の少なくとも一方を開閉したことを検知する扉検知手段と、この扉検知手段の信号を受けて時間を計数する第一のタイマーと、前記扉検知手段の信号を受けて時間を計数する第二のタイマーと、前記第一のタイマーと前記第二のタイマーの計数時間をそれぞれ予め設定された所定の時間と比較し、又前記第一の温度検知手段と前記第二の温度検知手段により検知した温度を、それぞれ予め設定された所定の温度と比較する演算処理部と、この演算処理部からの信号により、前記商品の販売中止を表示する一時販売中止表示器の表示温度の作動を制御する制御手段よりなる自動販売機の制御装置。
【発明の詳細な説明】
【０００１】
【発明の属する技術分野】
本発明は商品を冷却して販売するようにした自動販売機において、商品の温度を検知して商品の販売中止を表示する自動販売機の制御装置に関するものである。
【０００２】
【従来の技術】
近年、自動販売機の制御装置は、実開昭５６ー１００７７４号公報に示されるようにサーモスタットを設け、その設定温度において商品の販売を中止する表示を行うようになっていた。
【０００３】
以下、図面を参照しながら上記従来の自動販売機の制御装置についてその一例を説明する。
【０００４】
図７は従来の自動販売機の制御装置の斜視図であり、図８は従来の自動販売機の制御装置の制御回路図である。
【０００５】
図７、図８おいて、１、２は電源ライン、３は冷凍機、４はこの冷凍機から送られる冷媒を蒸発し、本体５内を冷却する蒸発器、６はこの蒸発器により冷却された空気を本体庫内に循環させる庫内ファンモーター、７は前記本体５内にあって商品８を収納する商品棚であり、この商品８は商品棚７のスパイラルにより係止され、販売信号（図示せず）により搬出装置（図示せず）が作動し、搬出販売される。９は、前記商品８の収納されている前記本体５内の空気温度を検知する第一のサーモスタットであり、一時販売中止表示器１０はこの第一のサーモスタット９に直列に接続されている。１１は前記冷凍機３に直列に接続され、前記冷凍機３の運転を制御する第二のサーモスタットである。
【０００６】
以上のように構成された自動販売機の制御装置について、以下図７、図８を用いてその動作を説明する。
【０００７】
まず、前記冷凍機３は前記第二のサーモスタット１１により、一定の温度差でＯＮ、ＯＦＦし前記本体５内を一定の温度に保っている。一方前記本体５内の空気温度が、前記第一のサーモスタット９の設定温度以上に上昇すれば、前記一時販売中止表示器１０を表示する。
【０００８】
【発明が解決しようとする課題】
しかしながら上記のような構成では、第一のサーモスタット９は本体５内の空気温度を検知し、即座に一時販売中止表示器１０を作動させるため、第一のサーモスタット９の検知温度の上昇の度合いよりも、商品８の温度の上昇の度合いの方が小さい為、一時販売中止表示器１０が作動した時点でも、ある一定時間は商品８は販売可能な温度であり、その間商品８を販売する機会を逃す、という課題を有していた。
【０００９】
本発明は上記課題に鑑み、一時販売中止表示器１０の表示温度と、商品８の温度の誤差を少なくし、販売の機会を逃す事のない自動販売機の制御装置を提供するものである。
【００１０】
【課題を解決するための手段】
本発明の請求項１に記載の発明は、商品を冷却保存する本体内に設けた商品棚と、前記本体内を冷却する蒸発器と、この蒸発器へ冷媒を供給する冷凍機と、前記本体内の温度を検知する第一の温度検知手段と、熱容量をもたせた吸熱材により覆われた第二の温度検知手段と、前記第一の温度検知手段と前記第二の温度検知手段により検知した温度を、それぞれ設定手段により任意に設定し、予め設定された温度と比較する演算処理部と、この演算処理部からの信号により、前記商品の温度を表示する温度表示器の表示を制御する制御手段よりなるという構成を備えたものであり、本体庫内の空気温度が上昇しても、商品と同じ熱容量の第二の温度検知手段は、一定時間の間に所定の温度に復帰すれば商品の温度も同様に復帰しているため、第二の温度検知手段で検知した温度を元に判断することで、より正確に商品温度の管理ができ、その結果、販売中止の表示を正確にできることで販売の機会を逃さないという作用を有する。
【００１１】
また請求項２に記載の発明は、商品を冷却保存する本体内に設けた商品棚と、前記本体内を冷却する蒸発器と、この蒸発器へ冷媒を供給する冷凍機と、前記本体内の温度を検知する第一の温度検知手段と、熱容量をもたせた吸熱材により覆われた第二の温度検知手段と、内扉または外扉の少なくとも一方を開閉したことを検知する扉検知手段と、この扉検知手段の信号を受けて時間を計数する第一のタイマーと、前記扉検知手段の信号を受けて時間を計数する第二のタイマーと、前記第一のタイマーと前記第二のタイマーの計数時間をそれぞれ設定手段により任意に設定し、予め設定された時間と比較し、又前記第一の温度検知手段と前記第二の温度検知手段により検知した温度を、それぞれ設定手段により任意に設定し、予め設定された温度と比較する演算処理部と、この演算処理部からの信号により、前記商品の販売中止を表示する一時販売中止表示器の作動を制御する制御手段よりなるという構成を備えたものであり、扉検知手段の信号を受けて、第一のタイマーと第二のタイマーにより、設定時間内の第一の温度検知手段と第二の温度検知手段の温度より、一時販売中止表示を制御するため、扉開閉時の場合においても販売の機会を逃すことなく行うことができるという作用を有する。
【００１２】
さらに、設定手段を設けることにより、温度表示器の一時販売中止温度とタイマーの計数時間を自在に設定することができ、設置環境に応じた一時販売中止表示ができる。
【００１３】
【発明の実施の形態】
以下本発明による自動販売機の制御装置の実施の形態について、図面を参照しながら説明する。
【００１４】
（実施の形態１）
図１は本発明の実施の形態１による自動販売機の制御装置の系統図である。図２は同実施の形態の自動販売機の制御装置の構造図である。図３は同実施の形態の自動販売機の制御装置のブロック図である。図４は同実施の形態の自動販売機の制御装置のフローチャートであり、従来例と同一の構成についてはその説明を省略する。
【００１５】
１２は本体５内の空気温度を検知する第一の温度検知手段、１３は商品８と同等の熱容量を有した吸熱材１４により覆われた第二の温度検知手段である。
１５は演算処理部１７に対し、温度、時間等の制御パラメータを設定入力する設定手段である。１６は各制御時間をカウントするタイマー手段である。１７は設定手段１５により設定されたデーターと比較する演算処理部、１８はこの演算処理部１７からの信号により商品８の販売状態の表示および冷凍機３の運転を制御する制御手段である。
【００１６】
この制御手段１８は、冷凍機３に直列に接続された第一の接点２３をＯＮ、ＯＦＦする第一のリレー２４と、一時販売中止表示器１０に直列に接続された第二の接点２５をＯＮ、ＯＦＦする第二のリレー２６と、永久販売中止表示器１９に直列に接続された第三の接点２７をＯＮ、ＯＦＦする第三のリレー２８とを制御している。
【００１７】
また永久販売中止の表示は、リセットスイッチ（図示せず）により永久販売中止表示器１９の表示を解除することができる。
【００１８】
以上のように構成された自動販売機の制御装置について、以下その動作を説明する。
【００１９】
本実施の形態では、例えば自動販売機の内扉２９を開閉して商品８を補充するときに、庫内の温度を監視し、販売動作の判断を行うものである。
【００２０】
まずＳＴＥＰ１では演算処理部１７に対し設定手段１５により、制御パラメータを設定入力する。ここでは、第一の温度検知手段１２による冷凍機の運転を制御する温度ｔａをＡ１、第二の温度検知手段１３による、一時販売中止表示器１０の動作温度ｔｂをＢ１、及び永久販売中止表示器１９の動作温度ｔｂをＤ１、また第二の温度検知手段１３が、設定温度ｔｂ＝Ｂ１を検知後、時間を計数するタイマー１６が計数する時間ｈをＣ１に各々設定する。
【００２１】
ＳＴＥＰ２は、第二の温度検知手段１３の温度ＴＢが、設定温度Ｂ１に対し、温度ＴＢが一時販売中止温度以下であれば、一時販売中止表示器を表示せず販売可能状態を継続する。
【００２２】
温度ＴＢが設定温度Ｂ１より高ければ、さらにＳＴＥＰ３において第一の温度検知手段１２の温度ＴＡの判定を行う、つまり第一の温度検知手段１２の温度ＴＡが設定温度Ａ１に対し、低ければ販売可能状態を継続し、温度ＴＡがＡ１より高ければＳＴＥＰ４で前記タイマー１６の計数を開始する。このタイマー１６の役割は一定時間の間に第二の温度検知手段１３の温度ＴＢが設定温度Ｂ１より低い温度に戻ってるかを判定するためのものである。
【００２３】
次にＳＴＥＰ５では、前記タイマー１６の計数時間Ｈが設定時間Ｃ１を越えているかを判定し、超えていれば、ＳＴＥＰ６において演算手段１７の信号を受けて、制御手段１８は第二のリレー２６を作動させ、一時販売中止表示器１０を点灯する。
【００２４】
以上のＳＴＥＰ１からＳＴＥＰ６では、第一の温度検知手段が検知した温度ＴＡが設定温度より高く、かつ第二の温度検知手段が検知した温度ＴＢが設定温度より一定時間の間高ければ、一時販売中止表示器１０を点灯させて一時販売中止とする。
【００２５】
さらにＳＴＥＰ７は、第一の温度検知手段の温度ＴＡが設定温度ｔａに対し高ければ、一時販売中止表示器１０の表示を継続し、温度ＴＡが設定温度ｔａより低くなれば、ＳＴＥＰ８において、演算手段１７の信号を受けて、制御手段１８は第二のリレー２６を作動させ、一時販売中止表示器１０の表示を消灯し、販売を再開する。
【００２６】
次に、ＳＴＥＰ９からＳＴＥＰ１５までは永久販売中止を制御するフローチャートである。
【００２７】
ＳＴＥＰ９では、第二の温度検知手段１３の検知温度ＴＢが設定温度Ｄ１に対し低ければ、前記永久販売中止表示器１９を点灯せず、温度ＴＢが設定温度Ｄ１より高ければＳＴＥＰ１０でタイマー１６の計数を開始し、第二の温度検知手段の検知温度が復帰するまでの時間を計測する。
【００２８】
ＳＴＥＰ１１は、タイマー１６の計数時間Ｈが設定手段１５により設定した設定時間ｈに対し、計数時間Ｈが設定時間ｈより小さければＳＴＥＰ１５で永久販売中止表示器１９は点灯せず、計数時間Ｈが設定時間ｈより大きければＳＴＥＰ１２で、演算処理部１７の信号を受けて制御手段１８は、第三のリレーを作動させ、永久販売中止表示器１９を点灯する。
【００２９】
以上のＳＴＥＰ９からＳＴＥＰ１１では第二の温度検知手段１３の温度ＴＢが一定の間以上設定温度Ｄ１を越えると永久販売中止とするものである。
【００３０】
そして、第二の温度検知手段１３の温度ＴＢが設定温度Ｄ１以下に戻った場合、ＳＴＥＰ１４で前記リセットスイッチ（図示せず）を作動すれば、前記永久販売中止表示器１９を消灯し、販売を再開することができる（ＳＴＥＰ１５）。
【００３１】
以上のように本実施の形態の自動販売機の制御装置は、本体内の空気の温度を検知する第一温度検知手段１２と、商品８と同等の熱容量を持つ吸熱材１４で覆われた第二の温度検知手段１３により、第二の温度検知手段１３が検知した温度が商品８の温度とほぼ等しいことから、実際の商品の温度との誤差を少なくすることができ、第二の温度検知手段１３が検知した温度によって販売中止を判断することで、商品の販売可能な温度の範囲内において販売の機会を逃すこと無く販売ができる。
【００３２】
なお、前記設定手段１５によりｔａ、ｔｂ１、ｔｂ２、ｈを自在に変更することにより、設置環境や季節に応じて販売の機会を逃すこと無く販売ができる。
【００３３】
（実施の形態２）
図１は本発明の実施の形態２による自動販売機の制御装置の系統図である。図２は同実施の形態の自動販売機の制御装置の構造図である。図５は同実施の形態によるブロック図である。図６は同実施の形態の自動販売機の制御装置のフローチャートである。
【００３４】
図２において、２９は本体５の庫内を密閉する内扉であり、３０は外扉である。２０はこの内扉２９の開閉状態を検知する扉検知手段である。ここでは、扉検知手段を内扉２９の開閉状態を検知する構造であるが、外扉３０をの開閉状態を検知する構造とした場合も同様に考えられる。
【００３５】
２１は内扉２９が開状態である時間を計測する第一のタイマー手段である。２２は内扉２９が閉状態である時間を計測する第二のタイマー手段である。
【００３６】
以上のように構成された自動販売機の制御装置について、以下その動作を図６のフローチャートを用いて説明する。
【００３７】
まずＳＴＥＰ１では演算処理部１７に対し設定手段１５により、制御パラメータを設定入力する。ここでは、第一の温度検知手段１２による冷凍機３に対する運転制御温度ｔａをＡ１、第二の温度検知手段１３による、商品を一時販売中止表示する温度ｔｂ１をＢ１、また永久販売中止表示する温度ｔｂ２をＤ１とする。
【００３８】
また、扉検知手段２０が開状態により、計数を開始する第一のタイマー手段２１に対する計数時間ｈａをＥ１、扉検知手段２０が閉状態により、計数を開始する第二のタイマー手段２２に対する計数時間は２つの設定時間ｈｂ１をＦ１と、設定時間ｈｂ２をＧ１にそれぞれ設定する。
【００３９】
ＳＴＥＰ２は、第二の温度検知手段１３で検知した温度ＴＢが、設定手段１５により設定した温度Ｂ１に対し、温度ＴＢが設定温度Ｂ１より高ければ、実施の形態１で説明した図４のＳＴＥＰ３のフローチャートに従う。
【００４０】
検知温度ＴＢがＢ１より低ければ、図５のＳＴＥＰ３へ進み、検知手段２０が内扉２９の開閉状態を判定する。
【００４１】
ここで、内扉２９が閉状態であれば、実施の形態１で説明した図４のＳＴＥＰ２のフローチャートに従う。
【００４２】
内扉２９が開状態であれば、ＳＴＥＰ４で一時販売中止表示器１０を点灯し、前記第一のタイマー手段２１の計数を開始する。
【００４３】
ＳＴＥＰ５、ＳＴＥＰ６では内扉２９が開状態では永久販売中止表示器１９は消灯しており、内扉２９が閉状態ならば、ＳＴＥＰ７で第二のタイマー手段２２の計数を開始する。
【００４４】
ＳＴＥＰ８は前記第二の温度検知手段１３の検知温度ＴＢが設定温度Ｂ１より低ければ、ＳＴＥＰ１０で一時販売中止表示器１０は消灯し、検知温度ＴＢが設定温度Ｂ１より高ければ、さらにＳＴＥＰ９において、内扉２９開時間を判定し、第一のタイマー手段２１の計数時間ＨＡが、設定時間Ｅ１に対して、ＨＡがＥ１より大きければ、つまり内扉２９の開時間が長いと判断した場合は、ＳＴＥＰ１３にて一時販売中止表示器１０を点灯する。
【００４５】
次にＳＴＥＰ１１では、設定時間Ｆ１に対して、第二のタイマー手段２２で毛計数された内扉２９の閉時間ＨＢが設定時間Ｆ１より大きく、かつ第一の温度検知手段１２が検知した温度ＴＡが設定温度Ａ１より高ければ、ＳＴＥＰ１３において一時販売中止表示器１０を点灯する。
【００４６】
その後、ＳＴＥＰ１４では、設定時間Ｇ１に対して、第二のタイマー手段２２で毛計数された内扉２９の閉時間ＨＢが設定時間Ｆ１より大きく、かつ第二の温度検知手段１２が検知した温度ＴＢが設定温度Ｂ１より高ければ、ＳＴＥＰ１６において永久販売中止表示器１９を点灯する。
【００４７】
以上のように本実施の形態の自動販売機の制御装置は、本体内の温度を検知する第一の温度検知手段１２と、熱容量をもたせた吸熱材により覆われた第二の温度検知手段１３と、内扉または外扉の少なくとも一方を開閉したことを検知する扉検知手段２０と、この扉検知手段の信号を受けて時間を計数する第一のタイマー２１と、前記扉検知手段の信号を受けて時間を計数する第二のタイマー２２と、前記第一のタイマー２２と前記第二のタイマーの計数時間を予め設定された時間と比較し、前記第一の温度検知手段１２と前記第二の温度検知手段１３により検知した温度を予め設定された温度と比較する演算処理部と、この演算処理部からの信号により、前記商品の販売中止を表示する一時販売中止表示器の作動を制御する制御手段からなる構成により、扉検知手段の信号を受けて、第一のタイマーと第二のタイマーにより、設定時間内の第一の温度検知手段と第二の温度検知手段の温度より、一時販売中止表示を制御するため、扉開閉時の場合においても販売の機会を逃すことなく販売することができる。
【００４８】
【発明の効果】
以上のように請求項１記載の発明は、商品を冷却保存する本体内に設けた商品棚と、前記本体内を冷却する蒸発器と、この蒸発器へ冷媒を供給する冷凍機と、前記本体内の温度を検知する第一の温度検知手段と、熱容量をもたせた吸熱材により覆われた第二の温度検知手段と、前記第一の温度検知手段と前記第二の温度検知手段により検知した温度を、それぞれ予め設定された所定の温度と比較する演算処理部と、この演算処理部からの信号により、前記商品の販売中止を表示する一時販売中止表示器の動作を制御する制御手段よりなるため、本体内の温度が上昇しても、感熱材に覆われた第二の温度検知手段は、商品と同じ度合いで温度上昇するため、一時販売中止表示は、販売の機会を逃すことなく行うことができ、一時販売中止表示の解除においては、第一の温度検知手段により設定された温度内であれば、第二の温度検知手段の検知温度がある範囲内で一時販売中止表示をしていても強制的に解除するためより多くの販売の機会を与えることが可能となる。
【００４９】
また、請求項２記載の発明は、扉検知手段の信号を受けて、第一のタイマーと第二のタイマーにより、設定時間内の第一の温度検知手段と第二の温度検知手段の温度より、一時販売中止表示を制御するため、内扉が開閉した場合においても販売の機会を逃すことなく行うことができる。
【００５０】
さらに、設定手段を設けることにより、一時販売中止表示温度とタイマーの計数時間を自在に設定することができ、設置環境に応じた一時販売中止表示ができる。
【図面の簡単な説明】
【図１】本発明による自動販売機の制御装置の実施の形態１、実施の形態２の系統図
【図２】本発明による自動販売機の制御装置の実施の形態１、実施の形態２の斜視図
【図３】本発明による自動販売機の制御装置の実施の形態１のブロック図
【図４】同実施の形態の自動販売機の制御装置のフローチャート
【図５】本発明による自動販売機の制御装置の実施の形態２のブロック図
【図６】同実施の形態の自動販売機の制御装置のフローチャート
【図７】従来の自動販売機の制御装置の斜視図
【図８】従来の自動販売機の制御装置の制御回路図
【符号の説明】
３　冷凍機
４　蒸発器
５　本体
７　商品棚
８　商品
１０　一時販売中止表示器
１２　第一の温度検知手段
１３　第二の温度検知手段
１４　吸熱材
１５　設定手段
１７　演算処理部
１８　制御手段
２０　内扉検知手段
２１　第一のタイマー
２２　第二のタイマー
２９　内扉
【図１】
2004054319.tif 000003
【図２】
2004054319.tif 000004
【図３】
2004054319.tif 000005
【図４】
2004054319.tif 000006
【図５】
2004054319.tif 000007
【図６】
2004054319.tif 000008
【図７】
2004054319.tif 000009
【図８】
2004054319.tif 000010